(57)【要約】      （修正有）【課題】電源ユニットの配置を含めて部品点数を削減し簡素化した構造において、電磁波を効果的に遮断することができる電子機器のシールド構造を提供する。【解決手段】電源ユニット１は、上方から順番に、入力信号処理基板１１と、第１電源シールド１３と、電源供給基板１５と、電源用絶縁板２１と、第２電源シールド２３と、を有している。第１電源シールド１３は、第１側板１３ａを有し、この第１側板１３ａには、上記入力端子群１１ａを有する側と同じ側面に入力端子群１１ａの位置でそれぞれ開口する第１開口部１３ｂを有し、電源供給基板１５を上方からシールドする。第２電源シールド２３は、第２側板２３ａと、高さ方向にほぼ半分の位置に画定されるＬ１を境界にして新たに設けられた第２側板２３ａから、さらに上方に延長される第２側板延長部２３ｂと有し、これらにより、電源供給基板１５を下方からシールドする。【選択図】図２
2008288529.tif 000002
【特許請求の範囲】
【請求項１】
入力信号処理基板と電源供給基板とを有する電源ユニットにおいて前記電源供給基板を側面からシールドする電源シールド部を備えたシールド構造において、
前記電源シールド部を前記入力信号処理基板まで延長した延長部を有することを特徴とするシールド構造。
【請求項２】
入力信号処理基板と電源供給基板とを有する電源ユニットにおいて前記電源供給基板を側面からシールドする電源シールド部を備えたシールド構造において、
前記電源シールド部は、
前記入力信号処理基板と前記電源供給基板との間に配置された第１の電源シールドと、前記電源供給基板の前記入力信号処理基板と反対側に配置された第２の電源シールドと、を有し、
該第２の電源シールドを前記側面側において前記第１の電源シールド側に延長した延長部を有することを特徴とするシールド構造。
【請求項３】
前記延長部に、前記入力信号処理基板の側面に形成される入力端子群を接続するための開口群が設けられていることを特徴とする請求項１又は２に記載のシールド構造。
【請求項４】
前記延長部は、前記第１の電源シールドの側面側に形成される第１の側板と面接触するように重なって配置されていることを特徴とする請求項１から３までのいずれか１項に記載のシールド構造。
【請求項５】
前記電源供給基板と前記第２の電源シールドとの間に、電源用の絶縁板を配置したことを特徴とする請求項１から４までのいずれか１項に記載のシールド構造。
【請求項６】
前記電源供給基板上に前記入力信号処理基板を配置したことを特徴とする請求項１から５までのいずれか１項に記載のシールド構造。
【請求項７】
電源コードからのアースを前記電源シールドに固定するための電源コード接続端子アングルを前記電源供給基板に設けたことを特徴とする請求項１から６までのいずれか１項に記載のシールド構造。
【請求項８】
請求項１から７までのいずれか１項に記載の電源シールド構造を有する電子機器。
【発明の詳細な説明】
【技術分野】
【０００１】
本発明は、電子機器のシールド構造に関し、特に、プロジェクターなどの光学電子機器のシールド構造に関する。
【背景技術】
【０００２】
従来から、会議などにおけるプレゼンテーションにはプロジェクターが用いられるケースが多い。プロジェクターなどの電子機器においては、筐体内に電源や光学系、入出力端子などが配置されており、電源をシールドする構造が用いられている。
【０００３】
このような電源のシールド構造に関しては、例えば下記の特許文献１、２などに記載がある。特許文献１では、入力信号処理基板が数枚の基板に分割されており、それぞれをシールド効果のある取り付けアングルで接続する構造が開示されている。また、特許文献２においても、電源シールドに入力信号処理基板を固定する構造が示されている。
【０００４】
【特許文献１】特開平８−１８６７８３号公報
【特許文献２】特開２００３−２１５７００号公報
【発明の開示】
【発明が解決しようとする課題】
【０００５】
しかしながら、特許文献１では、電源供給基板や電源用シールドとの固定に関しては特に言及されていない。また、特許文献２では、入力端子部分に関しては、シールドによる遮蔽構造が設けられておらず、電源コード接続端子と電源シールドとのアース接続に関しても特別な考慮がされていない。一方、プロジェクターなどの電子機器にとって電磁波の外部への放出をいかに低減するかは製品性能上大きな問題点である。
【０００６】
本発明は、電源ユニットの配置を含めて部品点数を削減し簡素化した構造において、効果的に電磁波を遮断するシールド構造を実現することを目的とする。
【課題を解決するための手段】
【０００７】
本発明の一観点によれば、入力信号処理基板と電源供給基板とを有する電源ユニットにおいて前記電源供給基板を側面からシールドする電源シールド部を備えたシールド構造において、前記電源シールド部を前記入力信号処理基板まで延長した延長部を有することを特徴とするシールド構造が提供される。これにより、電源から放射される電磁波を低減することが可能になる。
【０００８】
また、入力信号処理基板と電源供給基板とを有する電源ユニットにおいて前記電源供給基板を側面からシールドする電源シールド部を備えたシールド構造において、前記電源シールド部は、前記入力信号処理基板と前記電源供給基板との間に配置された第１の電源シールドと、前記電源供給基板の前記入力信号処理基板と反対側に配置された第２の電源シールドと、を有し、該第２の電源シールドを前記側面側において前記第１の電源シールド側に延長した延長部を有することを特徴とするシールド構造が提供される。前記延長部に、前記入力信号処理基板の側面に形成される入力端子群を接続するための開口群が設けられていることが好ましい。前記延長部は、前記第１の電源シールドの側面側に形成される第１の側板と面接触するように重なっていても良い。
【０００９】
前記電源供給基板と前記第２の電源シールドとの間に、電源用の絶縁板を設けるのが好ましい。前記電源供給基板上に前記入力信号処理基板を配置すると良い。また、電源コードからのアースを前記電源シールドに固定するための電源コード接続端子アングルを前記電源供給基板に設けても良い。これにより、効果的に電磁波を遮蔽できる。
【００１０】
尚、本発明は、上記電源シールド構造を有する電子機器であっても良い。
【発明の効果】
【００１１】
本発明によれば、効果的に電磁波を遮断するシールド構造が提供できる。また、電源ユニットの配置を含めて部品点数を削減し簡素化することができる。
【発明を実施するための最良の形態】
【００１２】
以下、本発明の一実施の形態による電子機器のシールド構造について、プロジェクター装置を例にして説明を行う。
【００１３】
図１（Ａ）、（Ｂ）は、本実施の形態によるプロジェクター装置の内部構造の一例を示す図である。図１（Ａ）、（Ｂ）に示すように、本実施の形態によるプロジェクター装置Ａは、背面側に電源ユニット１が配置され、前面側には、光源ユニット３と、レンズユニット５とを含む光学ユニットが配置されている。図１（Ａ）は入力信号処理基板１１の部品が取り付けられた状態を示し、図１（Ｂ）は入力信号処理基板１１を取り除き、電源供給基板１５の部品を覆う第１電源シールド１３を取り付けた状態を示す図である。
【００１４】
図２は、図１に示す電源ユニット１の分解斜視図である。図２に示すように、電源ユニット１は、上方から順番に、入力信号処理基板１１と、第１電源シールド１３と、電源供給基板１５と、電源用絶縁板２１と、第２電源シールド２３と、を有している。入力信号処理基板１１は、側面に入力端子群１１ａを有している。第１電源シールド１３は、第１側板１３ａを有し、この第１側板１３ａには、上記入力端子群１１ａを有する側と同じ側面に入力端子群１１ａの位置でそれぞれ開口する第１開口部１３ｂを有し、電源供給基板１５を上方からシールドする。電源供給基板１５は、電源と、電源端子（電源コード接続端子）１７とを有する。電源用絶縁板２１は、電源を絶縁するように下方から覆う。第２電源シールド２３は、第２側板２３ａと、高さ方向にほぼ半分の位置に画定されるＬ１を境界にして新たに設けられた第２側板２３ａからさらに上方に延長される第２側板延長部２３ｂと有し、これらにより、電源供給基板１５を下方からシールドする。尚、図に示すように、電源供給基板１５には、ファン２５が固定ピン２５ａにより固定され、このシールド構造を冷却することができるように構成されている。上記構成において、第２側板延長部２３ｂは、第１側板１３ａと重なるように構成されている。電源供給基板１５には、アース付きの電源コードが電源コード接続端子１７に接続されるようになっているため、電源コード接続端子１７からのアースをシールド類に接続することができる。従って、電磁波を遮断するという観点から特に効果的である。電源コード接続端子固定用アングル１８は電源コード接続端子１７の電源供給基板１５への固定およびアースの接続に用いられる。電源コードからのアースを電源コード接続端子固定用アングル１８に通電するようにしておき、電源コード接続端子固定用アングル１８に対して第２の電源シールド２３および第１の電源シールド１３を直接接続する。
【００１５】
より詳細に説明すると、電源供給基板１５を第２電源シールド２３、第１電源シールド１３により、例えば筒状に囲い、さらに、第２電源シールド２３と第１電源シールド１３との一部を、上記のように入力信号処理基板１１上まで延長して入力端子１１ａに直接接続できるようにしている。入力信号処理基板１１は、電源供給基板１５の近傍上部に配置されている。また、電源供給基板１５と第２電源シールド２３、第１電源シールド１３の間には絶縁部材として電源用絶縁板２１が取り付けられる。また、電源供給基板１５上の発熱部品を冷却するために、電源冷却用ファン２５が第２電源シールド２３に取り付けられる。
【００１６】
図３は、図２に分解斜視図で示した構成を組み立てた構造を示す図である。図３（Ａ）は、図２とほぼ同じ方向から見た組み立て構造を示す図である。図３（Ｂ）は、下側から見た図である。このように、符号Ｌ１を境にして従来は設けられていなかった下側シールドの延長部分２３ｂが入力端子群の設けられている領域を覆うように構成し、第２電源シールド２３と第１電源シールド１３の一部を２３ｂ・１３ａに示すように、入力信号処理基板１１上まで延長して、入力端子群１１ａに対して直接に接続できる構造にしている。従って、電源供給基板１５から発生する電磁波に加えて入力信号処理基板１１から発生する電磁波の影響も低減することができる。尚、符号２３ｂ・１３ａにより示されるシールド領域は、面接触により接続することができるため、接続を強固にするとともに簡便な構成で接続を行うことができる。
【００１７】
上記の構造では、入力信号処理基板１１から発生する電磁波の影響も低減することができる。また、電源供給基板１５の上部近傍に入力信号処理基板１１を配置することにより、効果的かつ簡素なシールド構造を実現できる。
【００１８】
さらに、電源コードからのアースを電源コード接続端子固定用アングル１８に接続しておき、電源コード接続端子固定用アングル１８に対して第２電源シールド２３および第１電源シールド１３を直接接続することにより、第２電源シールド２３、第１電源シールド１３のアースを強化することができる。この際、電源コード接続端子固定用アングル１８は、第２電源シールド２３と一体化した構造にしても良い。或いは、電源コード接続端子１７と第２電源シールド２３とを直接、ケーブル接続しても良い。
【００１９】
図４は、本実施の形態によるシールド構造の放射スペクトルを示す図であり、図５は、第２電源シールド２３の延長部２３ｂを有していない従来のシールド構造の放射スペクトルを示す図である。図４及び図５を比較すれば明らかなように、１００〜３００ＭＨｚ帯における放射スペクトルが本実施の形態によるシールド構造では抑制されており、電磁波の外部への放出を低減することができることがわかる。
【００２０】
尚、上記の実施の形態においては、プロジェクター装置を例にしてシールド構造の説明を行ったが、電源を有するその他の電子機器のシールド構造としても利用可能であることは言うまでもない。
【産業上の利用可能性】
【００２１】
本発明は、電子機器のシールド構造として利用可能である。
【図面の簡単な説明】
【００２２】
【図１】図１（Ａ）、（Ｂ）は、本発明の一実施の形態によるプロジェクター装置の内部構造の一例を示す図である。
【図２】図１に示す電源ユニットの分解斜視図である。
【図３】図２に分解斜視図で示した構成を組み立てた構造を示す図である。図３（Ａ）は、図２とほぼ同じ方向から見た組み立て構造を示す図である。図３（Ｂ）は、下側から見た組み立て構造を示す図である。
【図４】本実施の形態によるシールド構造の放射スペクトルを示す図である。
【図５】第２電源シールドの延長部を有していない従来のシールド構造の放射スペクトルを示す図である。
【符号の説明】
【００２３】
１…電源ユニット、１１…入力信号処理基板、１１ａ…入力端子群、１３…第１電源シールド、１３ａ…第１側板、１３ｂ…第１開口部、１５…電源供給基板、１７…電源端子（電源コード接続端子）、２１…電源用絶縁板、２３…第２電源シールド、２３ａ…第２側板、２３ｂ…第２側板延長部。
【図１】
2008288529.tif 000003
【図２】
2008288529.tif 000004
【図３】
2008288529.tif 000005
【図４】
2008288529.tif 000006
【図５】
2008288529.tif 000007